(57)【要約】【課題】基地局装置が通信状況分布情報を取得するために受信する情報量を少なくすることが可能な基地局装置を提供すること。【解決手段】基地局装置１００は、複数の移動局装置と無線通信可能に接続される。基地局装置１００は、位置情報取得部１０１と移動局装置選択部１０２と通信状況情報受信部１０３と通信状況分布情報出力部１０４とを備える。位置情報取得部は、移動局装置の位置を表す位置情報を取得する。移動局装置選択部は、取得された位置情報に基づいて複数の移動局装置の一部の移動局装置を選択する。通信状況情報受信部は、選択された移動局装置から、当該移動局装置と基地局装置との間の通信状況を表す通信状況情報を受信する。通信状況分布情報出力部は、受信された通信状況情報と、取得された位置情報であって選択された移動局装置の位置を表す位置情報と、を対応付けた情報を出力する。【選択図】図７
2010245583.tif 000002
【特許請求の範囲】
【請求項１】
複数の移動局装置と無線通信可能に接続された基地局装置であって、
前記移動局装置の位置を表す位置情報を取得する位置情報取得手段と、
前記取得された位置情報に基づいて前記複数の移動局装置の一部の移動局装置を選択する移動局装置選択手段と、
前記選択された移動局装置から、当該移動局装置と前記基地局装置との間の通信状況を表す通信状況情報を受信する通信状況情報受信手段と、
前記受信された通信状況情報と、前記取得された位置情報であって前記選択された移動局装置の位置を表す位置情報と、を対応付けた通信状況分布情報を出力する通信状況分布情報出力手段と、
を備える基地局装置。
【請求項２】
請求項１に記載の基地局装置であって、
前記移動局装置選択手段は、前記移動局装置と前記基地局装置との間の距離が所定の閾値距離よりも短い移動局装置を選択するように構成された基地局装置。
【請求項３】
請求項１に記載の基地局装置であって、
前記移動局装置選択手段は、ある移動局装置が移動する経路を推定し、当該推定された経路の近傍に位置する移動局装置を選択するように構成された基地局装置。
【請求項４】
請求項１に記載の基地局装置であって、
前記移動局装置選択手段は、当該基地局装置が前記移動局装置と通信可能な領域を分割した複数の領域のそれぞれに対して、当該領域内に位置する移動局装置を選択するように構成された基地局装置。
【請求項５】
請求項１乃至請求項４のいずれか一項に記載の基地局装置であって、
前記通信状況情報は、前記移動局装置と前記基地局装置とが単位時間あたりに通信するデータの量を表すスループット情報を含む基地局装置。
【請求項６】
請求項５に記載の基地局装置であって、
前記移動局装置選択手段は、当該基地局装置との間でデータを通信している移動局装置を選択するように構成された基地局装置。
【請求項７】
請求項１乃至請求項６のいずれか一項に記載の基地局装置であって、
前記通信状況情報は、前記移動局装置が移動する速度を表す移動速度情報を含む基地局装置。
【請求項８】
請求項１乃至請求項７のいずれか一項に記載の基地局装置であって、
前記移動局装置は、携帯電話機である基地局装置。
【請求項９】
複数の移動局装置と無線通信可能に接続された基地局装置に、
前記移動局装置の位置を表す位置情報を取得する位置情報取得手段と、
前記取得された位置情報に基づいて前記複数の移動局装置の一部の移動局装置を選択する移動局装置選択手段と、
前記選択された移動局装置から、当該移動局装置と前記基地局装置との間の通信状況を表す通信状況情報を受信する通信状況情報受信手段と、
前記受信された通信状況情報と、前記取得された位置情報であって前記選択された移動局装置の位置を表す位置情報と、を対応付けた通信状況分布情報を出力する通信状況分布情報出力手段と、
を実現させるためのプログラム。
【請求項１０】
請求項９に記載のプログラムであって、
前記移動局装置選択手段は、前記移動局装置と前記基地局装置との間の距離が所定の閾値距離よりも短い移動局装置を選択するように構成されたプログラム。
【請求項１１】
請求項９に記載のプログラムであって、
前記移動局装置選択手段は、ある移動局装置が移動する経路を推定し、当該推定された経路の近傍に位置する移動局装置を選択するように構成されたプログラム。
【請求項１２】
請求項９に記載のプログラムであって、
前記移動局装置選択手段は、当該基地局装置が前記移動局装置と通信可能な領域を分割した複数の領域のそれぞれに対して、当該領域内に位置する移動局装置を選択するように構成されたプログラム。
【請求項１３】
複数の移動局装置と、当該複数の移動局装置のそれぞれと無線通信可能に接続された基地局装置と、を含む通信システムであって、
前記移動局装置は、
当該移動局装置の位置を表す位置情報を前記基地局装置へ送信する位置情報送信手段と、
所定の通信状況送信指示が受信された場合、当該移動局装置と前記基地局装置との間の通信状況を表す通信状況情報を当該基地局装置へ送信する通信状況情報送信手段と、
を備え、
前記基地局装置は、
前記移動局装置から前記位置情報を受信することにより当該位置情報を取得する位置情報取得手段と、
前記取得された位置情報に基づいて前記複数の移動局装置の一部の移動局装置を選択する移動局装置選択手段と、
前記選択された移動局装置へ前記通信状況送信指示を送信する通信状況送信指示送信手段と、
前記選択された移動局装置から、当該移動局装置と前記基地局装置との間の通信状況を表す通信状況情報を受信する通信状況情報受信手段と、
前記受信された通信状況情報と、前記取得された位置情報であって前記選択された移動局装置の位置を表す位置情報と、を対応付けた通信状況分布情報を出力する通信状況分布情報出力手段と、
を備える通信システム。
【請求項１４】
請求項１３に記載の通信システムであって、
前記移動局装置選択手段は、前記移動局装置と前記基地局装置との間の距離が所定の閾値距離よりも短い移動局装置を選択するように構成された通信システム。
【請求項１５】
請求項１３に記載の通信システムであって、
前記移動局装置選択手段は、ある移動局装置が移動する経路を推定し、当該推定された経路の近傍に位置する移動局装置を選択するように構成された通信システム。
【請求項１６】
請求項１３に記載の通信システムであって、
前記移動局装置選択手段は、当該基地局装置が前記移動局装置と通信可能な領域を分割した複数の領域のそれぞれに対して、当該領域内に位置する移動局装置を選択するように構成された通信システム。
【請求項１７】
複数の移動局装置と、当該複数の移動局装置のそれぞれと無線通信可能に接続された基地局装置と、を含む通信システムに適用され、
前記移動局装置が、当該移動局装置の位置を表す位置情報を前記基地局装置へ送信する位置情報送信工程と、
前記基地局装置が、前記移動局装置から前記位置情報を受信することにより当該位置情報を取得する位置情報取得工程と、
前記基地局装置が、前記取得された位置情報に基づいて前記複数の移動局装置の一部の移動局装置を選択する移動局装置選択工程と、
前記基地局装置が、前記選択された移動局装置へ所定の通信状況送信指示を送信する通信状況送信指示送信工程と、
前記移動局装置が前記通信状況送信指示を受信する通信状況送信指示受信工程と、
前記通信状況送信指示を受信した移動局装置が、当該移動局装置と前記基地局装置との間の通信状況を表す通信状況情報を当該基地局装置へ送信する通信状況情報送信工程と、
前記基地局装置が、前記選択された移動局装置から、当該移動局装置と当該基地局装置との間の通信状況を表す通信状況情報を受信する通信状況情報受信工程と、
前記基地局装置が、前記受信された通信状況情報と、前記取得された位置情報であって前記選択された移動局装置の位置を表す位置情報と、を対応付けた通信状況分布情報を出力する通信状況分布情報出力工程と、
を含む通信方法。
【請求項１８】
請求項１７に記載の通信方法であって、
前記移動局装置選択工程は、前記移動局装置と前記基地局装置との間の距離が所定の閾値距離よりも短い移動局装置を選択するように構成された通信方法。
【請求項１９】
請求項１７に記載の通信方法であって、
前記移動局装置選択工程は、ある移動局装置が移動する経路を推定し、当該推定された経路の近傍に位置する移動局装置を選択するように構成された通信方法。
【請求項２０】
請求項１７に記載の通信方法であって、
前記移動局装置選択工程は、当該基地局装置が前記移動局装置と通信可能な領域を分割した複数の領域のそれぞれに対して、当該領域内に位置する移動局装置を選択するように構成された通信方法。
【発明の詳細な説明】
【技術分野】
【０００１】
本発明は、複数の移動局装置と無線通信可能に接続された基地局装置に関する。
【背景技術】
【０００２】
複数の移動局装置と無線通信可能に接続された基地局装置が知られている。この種の基地局装置の一つとして、特許文献１に記載の基地局装置は、移動局装置から位置情報及び通信状況情報を受信し、受信した位置情報及び通信状況情報を対応付けた通信状況分布情報を表示する。ここで、位置情報は、移動局装置の位置を表す情報である。また、通信状況情報は、移動局装置と基地局装置との間の通信状況を表す情報である。これによれば、基地局装置のユーザは、任意の位置における通信状況を容易に知ることができる。
【先行技術文献】
【特許文献】
【０００３】
【特許文献１】特開２００８−１０９５７１号公報
【発明の概要】
【発明が解決しようとする課題】
【０００４】
しかしながら、上記基地局装置は、通信可能に接続されたすべての移動局装置から位置情報及び通信状況情報を受信する。従って、比較的多数の移動局装置と基地局装置とが通信可能に接続されている場合、基地局装置が通信状況分布情報を取得するために受信する情報量が過度に多くなってしまう虞があった。
【０００５】
このため、本発明の目的は、上述した課題である「基地局装置が通信状況分布情報を取得するために受信する情報量が過度に多くなってしまうこと」を解決することが可能な基地局装置を提供することにある。
【課題を解決するための手段】
【０００６】
かかる目的を達成するため本発明の一形態である基地局装置は、複数の移動局装置と無線通信可能に接続された装置である。
【０００７】
更に、この基地局装置は、
上記移動局装置の位置を表す位置情報を取得する位置情報取得手段と、
上記取得された位置情報に基づいて上記複数の移動局装置の一部の移動局装置を選択する移動局装置選択手段と、
上記選択された移動局装置から、当該移動局装置と上記基地局装置との間の通信状況を表す通信状況情報を受信する通信状況情報受信手段と、
上記受信された通信状況情報と、上記取得された位置情報であって上記選択された移動局装置の位置を表す位置情報と、を対応付けた通信状況分布情報を出力する通信状況分布情報出力手段と、
を備える。
【０００８】
また、本発明の他の形態であるプログラムは、
複数の移動局装置と無線通信可能に接続された基地局装置に、
上記移動局装置の位置を表す位置情報を取得する位置情報取得手段と、
上記取得された位置情報に基づいて上記複数の移動局装置の一部の移動局装置を選択する移動局装置選択手段と、
上記選択された移動局装置から、当該移動局装置と上記基地局装置との間の通信状況を表す通信状況情報を受信する通信状況情報受信手段と、
上記受信された通信状況情報と、上記取得された位置情報であって上記選択された移動局装置の位置を表す位置情報と、を対応付けた通信状況分布情報を出力する通信状況分布情報出力手段と、
を実現させるためのプログラムである。
【０００９】
また、本発明の他の形態である通信システムは、複数の移動局装置と、当該複数の移動局装置のそれぞれと無線通信可能に接続された基地局装置と、を含むシステムである。
【００１０】
更に、上記移動局装置は、
当該移動局装置の位置を表す位置情報を上記基地局装置へ送信する位置情報送信手段と、
所定の通信状況送信指示が受信された場合、当該移動局装置と上記基地局装置との間の通信状況を表す通信状況情報を当該基地局装置へ送信する通信状況情報送信手段と、
を備える。
【００１１】
加えて、上記基地局装置は、
上記移動局装置から上記位置情報を受信することにより当該位置情報を取得する位置情報取得手段と、
上記取得された位置情報に基づいて上記複数の移動局装置の一部の移動局装置を選択する移動局装置選択手段と、
上記選択された移動局装置へ上記通信状況送信指示を送信する通信状況送信指示送信手段と、
上記選択された移動局装置から、当該移動局装置と上記基地局装置との間の通信状況を表す通信状況情報を受信する通信状況情報受信手段と、
上記受信された通信状況情報と、上記取得された位置情報であって上記選択された移動局装置の位置を表す位置情報と、を対応付けた通信状況分布情報を出力する通信状況分布情報出力手段と、
を備える。
【００１２】
また、本発明の他の形態である通信方法は、
複数の移動局装置と、当該複数の移動局装置のそれぞれと無線通信可能に接続された基地局装置と、を含む通信システムに適用され、
上記移動局装置が、当該移動局装置の位置を表す位置情報を上記基地局装置へ送信する位置情報送信工程と、
上記基地局装置が、上記移動局装置から上記位置情報を受信することにより当該位置情報を取得する位置情報取得工程と、
上記基地局装置が、上記取得された位置情報に基づいて上記複数の移動局装置の一部の移動局装置を選択する移動局装置選択工程と、
上記基地局装置が、上記選択された移動局装置へ所定の通信状況送信指示を送信する通信状況送信指示送信工程と、
上記移動局装置が上記通信状況送信指示を受信する通信状況送信指示受信工程と、
上記通信状況送信指示を受信した移動局装置が、当該移動局装置と上記基地局装置との間の通信状況を表す通信状況情報を当該基地局装置へ送信する通信状況情報送信工程と、
上記基地局装置が、上記選択された移動局装置から、当該移動局装置と当該基地局装置との間の通信状況を表す通信状況情報を受信する通信状況情報受信工程と、
上記基地局装置が、上記受信された通信状況情報と、上記取得された位置情報であって上記選択された移動局装置の位置を表す位置情報と、を対応付けた通信状況分布情報を出力する通信状況分布情報出力工程と、
を含む。
【発明の効果】
【００１３】
本発明は、以上のように構成されることにより、基地局装置が通信状況分布情報を取得するために受信する情報量を少なくすることができる。
【図面の簡単な説明】
【００１４】
【図１】本発明の実施形態に係る通信システムの概略構成を表す図である。
【図２】本発明の実施形態に係る通信システムの機能の概略を表すブロック図である。
【図３】本発明の実施形態に係る基地局装置のＣＰＵが実行する位置情報取得プログラムを示したフローチャートである。
【図４】本発明の実施形態に係る基地局装置のＣＰＵが実行する通信状況分布情報出力プログラムを示したフローチャートである。
【図５】本発明の実施形態に係る移動局装置のＣＰＵが実行する通信状況情報送信プログラムを示したフローチャートである。
【図６】本発明の実施形態の変形例に係る基地局装置が出力する通信状況分布情報を示したテーブルである。
【図７】本発明の実施形態の変形例に係る基地局装置の機能の概略を表すブロック図である。
【発明を実施するための形態】
【００１５】
本発明の一形態である基地局装置は、複数の移動局装置と無線通信可能に接続された装置である。
【００１６】
更に、この基地局装置は、
上記移動局装置の位置を表す位置情報を取得する位置情報取得手段と、
上記取得された位置情報に基づいて上記複数の移動局装置の一部の移動局装置を選択する移動局装置選択手段と、
上記選択された移動局装置から、当該移動局装置と上記基地局装置との間の通信状況を表す通信状況情報を受信する通信状況情報受信手段と、
上記受信された通信状況情報と、上記取得された位置情報であって上記選択された移動局装置の位置を表す位置情報と、を対応付けた通信状況分布情報を出力する通信状況分布情報出力手段と、
を備える。
【００１７】
これによれば、基地局装置は、通信可能に接続された複数の移動局装置のうちの一部の移動局装置から通信状況情報を受信する。そして、基地局装置は、受信した通信状況情報に基づいて通信状況分布情報を出力する。これにより、基地局装置が通信状況分布情報を取得するために受信する情報量を少なくすることができる。即ち、通信負荷を軽減することができる。更に、基地局装置が受信した通信状況情報に基づいて処理（統計処理、又は、集計処理等）を行うことにより通信状況分布情報を生成するように構成されている場合には、その処理負荷を軽減することもできる。
【００１８】
この場合、上記移動局装置選択手段は、上記移動局装置と上記基地局装置との間の距離が所定の閾値距離よりも短い移動局装置を選択するように構成されることが好適である。
【００１９】
移動局装置と基地局装置との間の距離（通信距離）が変化すると、移動局装置から基地局装置へ送信される信号が減衰する程度が変化する。また、通信距離が変化すると、移動局装置と基地局装置との間に障害物が存在する確率が変化する。従って、通信状況は、通信距離が変化することにより変化する。
【００２０】
また、基地局装置と通信可能に接続されている移動局装置の数（収容数）が変化すると、移動局装置から基地局装置へ送信される信号が利用可能な帯域が変化する。従って、通信状況は、収容数が変化することにより変化する。
このように、通信状況は、通信距離又は収容数が変化することにより変化する。
【００２１】
従って、上記構成によれば、通信距離が変化することによって通信状況が変化する程度を小さくことができる。その結果、基地局装置は、収容数が変化することによる通信状況の変化をよく表す通信状況分布情報を出力することができる。
【００２２】
また、上記基地局装置の他の態様において、
上記移動局装置選択手段は、ある移動局装置が移動する経路を推定し、当該推定された経路の近傍に位置する移動局装置を選択するように構成されることが好適である。
【００２３】
これによれば、基地局装置は、経路が推定された移動局装置の将来の位置における通信状況をより高い精度にて表した通信状況分布情報を出力することができる。
【００２４】
また、上記基地局装置の他の態様において、
上記移動局装置選択手段は、当該基地局装置が上記移動局装置と通信可能な領域を分割した複数の領域のそれぞれに対して、当該領域内に位置する移動局装置を選択するように構成されることが好適である。
【００２５】
これによれば、基地局装置が移動局装置と通信可能な領域において、選択された移動局装置の位置が偏在することを回避することができる。この結果、基地局装置は、上記領域内の任意の位置における通信状況をより高い精度にて表した通信状況分布情報を出力することができる。
【００２６】
この場合、上記通信状況情報は、上記移動局装置と上記基地局装置とが単位時間あたりに通信するデータの量を表すスループット情報を含むことが好適である。
【００２７】
この場合、上記移動局装置選択手段は、当該基地局装置との間でデータを通信している移動局装置を選択するように構成されることが好適である。
【００２８】
これによれば、スループット情報を取得するために、新たにデータの通信を開始することなく、既に行っている通信に基づいてスループット情報を取得することができる。従って、通信負荷が無駄に大きくなることを回避することができる。
【００２９】
この場合、上記通信状況情報は、上記移動局装置が移動する速度を表す移動速度情報を含むことが好適である。
【００３０】
この場合、上記移動局装置は、携帯電話機であることが好適である。
【００３１】
また、本発明の他の形態であるプログラムは、
複数の移動局装置と無線通信可能に接続された基地局装置に、
上記移動局装置の位置を表す位置情報を取得する位置情報取得手段と、
上記取得された位置情報に基づいて上記複数の移動局装置の一部の移動局装置を選択する移動局装置選択手段と、
上記選択された移動局装置から、当該移動局装置と上記基地局装置との間の通信状況を表す通信状況情報を受信する通信状況情報受信手段と、
上記受信された通信状況情報と、上記取得された位置情報であって上記選択された移動局装置の位置を表す位置情報と、を対応付けた通信状況分布情報を出力する通信状況分布情報出力手段と、
を実現させるためのプログラムである。
【００３２】
この場合、上記移動局装置選択手段は、上記移動局装置と上記基地局装置との間の距離が所定の閾値距離よりも短い移動局装置を選択するように構成されることが好適である。
【００３３】
また、上記プログラムの他の態様において、
上記移動局装置選択手段は、ある移動局装置が移動する経路を推定し、当該推定された経路の近傍に位置する移動局装置を選択するように構成されることが好適である。
【００３４】
また、上記プログラムの他の態様において、
上記移動局装置選択手段は、当該基地局装置が上記移動局装置と通信可能な領域を分割した複数の領域のそれぞれに対して、当該領域内に位置する移動局装置を選択するように構成されることが好適である。
【００３５】
また、本発明の他の形態である通信システムは、複数の移動局装置と、当該複数の移動局装置のそれぞれと無線通信可能に接続された基地局装置と、を含むシステムである。
【００３６】
更に、上記移動局装置は、
当該移動局装置の位置を表す位置情報を上記基地局装置へ送信する位置情報送信手段と、
所定の通信状況送信指示が受信された場合、当該移動局装置と上記基地局装置との間の通信状況を表す通信状況情報を当該基地局装置へ送信する通信状況情報送信手段と、
を備える。
【００３７】
加えて、上記基地局装置は、
上記移動局装置から上記位置情報を受信することにより当該位置情報を取得する位置情報取得手段と、
上記取得された位置情報に基づいて上記複数の移動局装置の一部の移動局装置を選択する移動局装置選択手段と、
上記選択された移動局装置へ上記通信状況送信指示を送信する通信状況送信指示送信手段と、
上記選択された移動局装置から、当該移動局装置と上記基地局装置との間の通信状況を表す通信状況情報を受信する通信状況情報受信手段と、
上記受信された通信状況情報と、上記取得された位置情報であって上記選択された移動局装置の位置を表す位置情報と、を対応付けた通信状況分布情報を出力する通信状況分布情報出力手段と、
を備える。
【００３８】
この場合、上記移動局装置選択手段は、上記移動局装置と上記基地局装置との間の距離が所定の閾値距離よりも短い移動局装置を選択するように構成されることが好適である。
【００３９】
また、上記通信システムの他の態様において、
上記移動局装置選択手段は、ある移動局装置が移動する経路を推定し、当該推定された経路の近傍に位置する移動局装置を選択するように構成されることが好適である。
【００４０】
また、上記通信システムの他の態様において、
上記移動局装置選択手段は、当該基地局装置が上記移動局装置と通信可能な領域を分割した複数の領域のそれぞれに対して、当該領域内に位置する移動局装置を選択するように構成されることが好適である。
【００４１】
また、本発明の他の形態である通信方法は、
複数の移動局装置と、当該複数の移動局装置のそれぞれと無線通信可能に接続された基地局装置と、を含む通信システムに適用され、
上記移動局装置が、当該移動局装置の位置を表す位置情報を上記基地局装置へ送信する位置情報送信工程と、
上記基地局装置が、上記移動局装置から上記位置情報を受信することにより当該位置情報を取得する位置情報取得工程と、
上記基地局装置が、上記取得された位置情報に基づいて上記複数の移動局装置の一部の移動局装置を選択する移動局装置選択工程と、
上記基地局装置が、上記選択された移動局装置へ所定の通信状況送信指示を送信する通信状況送信指示送信工程と、
上記移動局装置が上記通信状況送信指示を受信する通信状況送信指示受信工程と、
上記通信状況送信指示を受信した移動局装置が、当該移動局装置と上記基地局装置との間の通信状況を表す通信状況情報を当該基地局装置へ送信する通信状況情報送信工程と、
上記基地局装置が、上記選択された移動局装置から、当該移動局装置と当該基地局装置との間の通信状況を表す通信状況情報を受信する通信状況情報受信工程と、
上記基地局装置が、上記受信された通信状況情報と、上記取得された位置情報であって上記選択された移動局装置の位置を表す位置情報と、を対応付けた通信状況分布情報を出力する通信状況分布情報出力工程と、
を含む。
【００４２】
この場合、上記移動局装置選択工程は、上記移動局装置と上記基地局装置との間の距離が所定の閾値距離よりも短い移動局装置を選択するように構成されることが好適である。
【００４３】
また、上記通信方法の他の態様において、
上記移動局装置選択工程は、ある移動局装置が移動する経路を推定し、当該推定された経路の近傍に位置する移動局装置を選択するように構成されることが好適である。
【００４４】
また、上記通信方法の他の態様において、
上記移動局装置選択工程は、当該基地局装置が上記移動局装置と通信可能な領域を分割した複数の領域のそれぞれに対して、当該領域内に位置する移動局装置を選択するように構成されることが好適である。
【００４５】
上述した構成を有する、プログラム、通信システム、又は、通信方法、の発明であっても、上記基地局装置と同様の作用を有するために、上述した本発明の目的を達成することができる。
【００４６】
以下、本発明に係る、基地局装置、プログラム、通信システム、及び、通信方法、の実施形態について図１〜図７を参照しながら説明する。
【００４７】
＜実施形態＞
図１に示したように、実施形態に係る通信システム１は、基地局装置１１と、複数の移動局装置２１〜２５，…と、を含む。基地局装置１１と、複数の移動局装置２１〜２５，…のそれぞれと、は、無線により通信可能（無線通信可能）に接続されている。
【００４８】
基地局装置１１は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク駆動装置（ＨＤＤ；Ｈａｒｄ  Ｄｉｓｋ  Ｄｒｉｖｅ））及び出力装置（本例では、ディスプレイ）を備える。
【００４９】
基地局装置１１は、記憶装置に記憶されているプログラムをＣＰＵが実行することにより、後述する機能を実現するように構成されている。
【００５０】
各移動局装置２１〜２５，…は、携帯電話機である。なお、各移動局装置２１〜２５，…は、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、及び、携帯型ゲーム機等であってもよい。
【００５１】
各移動局装置２１〜２５，…は、ＣＰＵ、記憶装置（メモリ）、入力装置（本例では、マイク及び複数のキーボタン）、出力装置（本例では、スピーカ及びディスプレイ）、及び、ＧＰＳ（Ｇｌｏｂａｌ  Ｐｏｓｉｔｉｏｎｉｎｇ  Ｓｙｓｔｅｍ）用アンテナを備える。各移動局装置２１〜２５，…は、記憶装置に記憶されているプログラムをＣＰＵが実行することにより、後述する機能を実現するように構成されている。
【００５２】
図２は、上記のように構成された通信システム１の機能を表すブロック図である。この機能は、基地局装置１１のＣＰＵが後述する図３及び図４に示したフローチャートにより表されるプログラム等を実行するとともに、移動局装置２１のＣＰＵが後述する図５に示したフローチャートにより表されるプログラム等を実行することにより、実現される。なお、移動局装置２１以外の移動局装置２２〜２５，…の機能も、移動局装置２１の機能と同様である。
【００５３】
この移動局装置２１の機能は、位置情報送信部（位置情報送信手段）３１と、通信状況情報送信部（通信状況情報送信手段）３２と、を含む。また、基地局装置１１の機能は、位置情報取得部（位置情報取得手段）４１と、移動局装置選択部（移動局装置選択手段）４２と、通信状況送信指示送信部（通信状況送信指示送信手段）４３と、通信状況情報受信部（通信状況情報受信手段）４４と、通信状況分布情報出力部（通信状況分布情報出力手段）４５と、を含む。
【００５４】
位置情報送信部３１は、予め設定された位置取得周期が経過する毎に、ＧＰＳ用アンテナを介して図示しない複数のＧＰＳ衛星からのＧＰＳ信号を受信し、受信したＧＰＳ信号に基づいて（ＧＰＳ信号を復調することにより）ＧＰＳ情報を取得する。更に、位置情報送信部３１は、取得したＧＰＳ情報に基づいて移動局装置２１の位置を表す位置情報（本例では、緯度を表す緯度情報及び経度を表す経度情報）を生成（取得）する。
【００５５】
そして、位置情報送信部３１は、予め設定された送信周期が経過する毎に、生成した位置情報と、移動局装置２１を識別するための識別情報と、を基地局装置１１へ送信する。
【００５６】
通信状況情報送信部３２は、通信状況送信指示を受信する。通信状況送信指示は、通信状況情報を送信する旨を指示する情報である。通信状況情報送信部３２は、通信状況送信指示を受信した場合、移動局装置２１と基地局装置１１との間の通信状況を表す通信状況情報を取得する。
【００５７】
本例では、通信状況情報は、移動局装置２１と基地局装置１１とが単位時間あたりに通信するデータの量（スループット）を表すスループット情報を含む。本例では、通信状況情報送信部３２は、基地局装置１１との間で既に行っている通信に基づいて通信状況情報を取得する。そして、通信状況情報送信部３２は、取得した通信状況情報を基地局装置１１へ送信する。
【００５８】
位置情報取得部４１は、位置情報と識別情報とを移動局装置２１〜２５，…のそれぞれから受信することにより位置情報と識別情報とを取得する。位置情報取得部４１は、取得した位置情報と識別情報とを対応付けて記憶装置に記憶させる。
【００５９】
移動局装置選択部４２は、位置情報取得部４１により取得された位置情報に基づいて複数の移動局装置２１〜２５，…の一部の移動局装置を選択する。
具体的には、移動局装置選択部４２は、基地局装置１１が移動局装置２１〜２５，…と通信可能な領域を分割した複数の領域のそれぞれに対して、当該領域内に位置する移動局装置であって、基地局装置１１との間でデータを通信している移動局装置を１つずつ選択する。
【００６０】
本例では、分割された複数の領域のそれぞれは、１辺が１００ｍである正方形の領域である。即ち、移動局装置選択部４２は、基地局装置１１が移動局装置２１〜２５，…と通信可能な領域を、１辺の長さが１００ｍである正方形の格子状に分割した複数の領域のそれぞれに対して、当該領域内に位置する移動局装置を１つずつ選択する。なお、移動局装置選択部４２は、分割された領域の１辺の長さを、地形及び／又は人口分布に応じて定められる長さとするように構成されていてもよい。即ち、この場合、分割された複数の領域が有する１辺の長さは、互いに異なる長さとなる。
【００６１】
通信状況送信指示送信部４３は、移動局装置選択部４２により選択された移動局装置２１〜２５，…へ、通信状況送信指示を送信する。
【００６２】
通信状況情報受信部４４は、移動局装置２１〜２５，…から通信状況情報を受信する。
通信状況分布情報出力部４５は、通信状況情報受信部４４により受信された通信状況情報と、その通信状況情報を送信してきた移動局装置を識別するための識別情報と対応付けて記憶装置に記憶されている位置情報と、を対応付けた通信状況分布情報を出力する。
【００６３】
具体的には、通信状況分布情報出力部４５は、通信状況分布情報としての画像情報を出力する。この画像情報が表す画像は、位置情報が表す位置に応じた画像内の位置にて、通信状況情報が表すスループットの大きさに応じた色（例えば、２メガビット毎秒以上は青色、２メガビット毎秒未満且つ１メガビット毎秒以上は黄色、１メガビット毎秒未満は赤色）を有するマーク（例えば、円）が配置された画像である。
【００６４】
次に、上述した通信システム１の作動について具体的に述べる。
各移動局装置２１〜２５，…は、上記送信周期が経過する毎に、その移動局装置の位置を表す位置情報と、その移動局装置を識別するための識別情報と、を基地局装置１１へ送信する（位置情報送信工程）。
【００６５】
一方、基地局装置１１のＣＰＵは、図３にフローチャートにより示した位置情報取得プログラムを、基地局装置１１の起動時に実行するようになっている。
具体的に述べると、ＣＰＵは、位置情報取得プログラムの処理を開始すると、ステップ３０５にて、位置情報を受信するまで待機する。
【００６６】
そして、基地局装置１１が移動局装置２１〜２５，…から位置情報と識別情報とを受信する（位置情報取得工程）と、ＣＰＵは、「Ｙｅｓ」と判定してステップ３１０へ進み、受信した位置情報と識別情報とを対応付けて記憶装置に記憶させる。
その後、ＣＰＵは、ステップ３０５へ戻り、ステップ３０５〜ステップ３１０の処理を繰り返し実行する。
【００６７】
また、基地局装置１１のＣＰＵは、図４にフローチャートにより示した通信状況分布情報出力プログラムを、予め設定された出力周期が経過する毎に実行するようになっている。なお、出力周期は、基地局装置１１のユーザによって入力された値であってもよい。
【００６８】
具体的に述べると、ＣＰＵは、通信状況分布情報出力プログラムの処理を開始すると、ステップ４０５にて、記憶装置に記憶されている位置情報に基づいて移動局装置を選択する（移動局装置選択工程）。本例では、ＣＰＵは、基地局装置１１が移動局装置２１〜２５，…と通信可能な領域を分割した複数の領域のそれぞれに対して、当該領域内に位置する移動局装置であって、基地局装置１１との間でデータを通信している移動局装置を１つずつ選択する。
【００６９】
そして、ＣＰＵは、上記選択した移動局装置のそれぞれへ、通信状況送信指示を送信する（ステップ４１０、通信状況送信指示送信工程）。次いで、ＣＰＵは、通信状況送信指示を送信した移動局装置のすべてから、通信状況情報を受信するまで待機する（ステップ４１５）。
【００７０】
一方、移動局装置２１のＣＰＵは、図５にフローチャートにより示した通信状況情報送信プログラムを、移動局装置２１の起動時に実行するようになっている。なお、移動局装置２２〜２５，…のそれぞれのＣＰＵも、移動局装置２１と同様に、通信状況情報送信プログラムを実行するようになっている。
【００７１】
具体的に述べると、ＣＰＵは、通信状況情報送信プログラムの処理を開始すると、ステップ５０５にて、通信状況送信指示を受信するまで待機する。そして、移動局装置２１が基地局装置１１から通信状況送信指示を受信する（通信状況送信指示受信工程）と、ＣＰＵは、「Ｙｅｓ」と判定してステップ５１０へ進み、通信状況情報を取得する。
【００７２】
本例では、ＣＰＵは、基地局装置１１との間で既に行っている通信に基づいて通信状況情報を取得する。即ち、ＣＰＵは、移動局装置２１が単位時間あたりに基地局装置１１から受信したデータの量を表すスループット情報を通信状況情報として取得する。
【００７３】
次いで、ＣＰＵは、取得した通信状況情報を基地局装置１１へ送信する（ステップ５１５、通信状況情報送信工程）。その後、ＣＰＵは、ステップ５０５へ戻り、ステップ５０５〜ステップ５１５の処理を繰り返し実行する。
【００７４】
そして、基地局装置１１が、通信状況送信指示を送信した移動局装置のすべてから、通信状況情報を受信する（通信状況情報受信工程）と、基地局装置１１のＣＰＵは、ステップ４１５にて「Ｙｅｓ」と判定してステップ４２０へ進む。
【００７５】
そして、ＣＰＵは、受信した通信状況情報と、その通信状況情報を送信してきた移動局装置を識別するための識別情報と対応付けて記憶装置に記憶されている位置情報と、を対応付けた通信状況分布情報を出力する（通信状況分布情報出力工程）。
次いで、ＣＰＵは、この通信状況分布情報出力プログラムの実行を終了する。
【００７６】
以上、説明したように、本発明による通信システムの実施形態によれば、基地局装置１１は、通信可能に接続された複数の移動局装置２１〜２５，…のうちの一部の移動局装置から通信状況情報を受信する。そして、基地局装置１１は、受信した通信状況情報に基づいて通信状況分布情報を出力する。
【００７７】
これにより、基地局装置１１が通信状況分布情報を取得するために受信する情報量を少なくすることができる。即ち、通信負荷を軽減することができる。更に、基地局装置１１が受信した通信状況情報に基づいて処理（統計処理、又は、集計処理等）を行うことにより通信状況分布情報を生成するように構成されている場合には、その処理負荷を軽減することもできる。
【００７８】
更に、上記実施形態において、基地局装置１１は、基地局装置１１が移動局装置２１〜２５，…と通信可能な領域を分割した複数の領域のそれぞれに対して、当該領域内に位置する移動局装置を選択するように構成されている。
【００７９】
これによれば、基地局装置１１が移動局装置２１〜２５，…と通信可能な領域において、選択された移動局装置の位置が偏在することを回避することができる。この結果、基地局装置１１は、上記領域内の任意の位置における通信状況をより高い精度にて表した通信状況分布情報を出力することができる。
【００８０】
加えて、上記実施形態において、基地局装置１１は、基地局装置１１との間でデータを通信している移動局装置２１〜２５，…を選択するように構成されている。
【００８１】
これによれば、スループット情報を取得するために、新たにデータの通信を開始することなく、既に行っている通信に基づいてスループット情報を取得することができる。従って、通信負荷が無駄に大きくなることを回避することができる。
【００８２】
なお、本発明は上記実施形態に限定されることはなく、本発明の範囲内において種々の変形例を採用することができる。例えば、上記実施形態は、移動局装置が基地局装置との間で既に行っている通信に基づいて通信状況情報を取得するように構成されていたが、新たに通信を行い、その通信に基づいて通信状況情報を取得するように構成されていてもよい。この場合、移動局装置は、基地局装置１１と異なる情報処理装置との間で通信を行ってもよい。
【００８３】
また、上記実施形態において、基地局装置１１は、通信状況分布情報として画像情報を出力するように構成されていたが、図６に示したテーブルを表す情報を通信状況分布情報として出力するように構成されていてもよい。このテーブルは、測定時刻情報、緯度情報、経度情報、及び、スループット情報からなる情報を複数含む。測定時刻情報は、通信状況情報が取得された時刻を表す情報である。
【００８４】
また、上記実施形態は、各移動局装置２１〜２５，…がＧＰＳ信号に基づいて位置情報を取得するように構成されていたが、基地局装置１１が各移動局装置２１〜２５，…の位置を検出するように構成されていてもよい。
【００８５】
また、上記実施形態において、基地局装置１１は、１つの情報処理装置であったが、互いに通信可能に接続された複数の情報処理装置により構成されていてもよい。
【００８６】
また、上記実施形態において、基地局装置１１は、分割された複数の領域のそれぞれに対して、当該領域内に位置する移動局装置を１つずつ選択するように構成されていた。ところで、基地局装置１１は、分割された複数の領域のそれぞれに対して、当該領域内に位置する移動局装置を複数選択するように構成されていてもよい。
【００８７】
この場合、基地局装置１１は、領域毎に、選択された移動局装置により取得された通信状況情報が表す値を平均した値と、その領域を代表する位置を表す位置情報と、を対応付けた情報を通信状況分布情報として出力するように構成されていてもよい。
また、基地局装置１１は、領域毎に、選択された移動局装置により取得された通信状況情報が表す値を用いて、領域内の任意の位置における通信状況を推定するように構成されていてもよい。
【００８８】
また、上記実施形態の他の変形例において、基地局装置１１は、移動局装置２１〜２５，…と基地局装置１１との間の距離が予め設定された閾値距離よりも短い移動局装置を選択するように構成される。
【００８９】
これによれば、移動局装置２１〜２５，…と基地局装置１１との間の距離（通信距離）が変化することによって通信状況が変化する程度を小さくことができる。その結果、基地局装置１１は、基地局装置１１と通信可能に接続されている移動局装置２１〜２５，…の数（収容数）が変化することによる通信状況の変化をよく表す通信状況分布情報を出力することができる。
【００９０】
また、上記実施形態の他の変形例において、基地局装置１１は、ある移動局装置が移動する経路を推定し、当該推定された経路の近傍に位置する移動局装置を選択するように構成される。
【００９１】
具体的には、基地局装置１１は、受信した位置情報と、予め記憶装置に記憶されている地図情報と、に基づいて経路を推定する。例えば、基地局装置１１は、受信した位置情報が表す位置が、地図情報が表す地図上の線路上に位置している場合には、その線路を経路として推定する。また、基地局装置１１は、受信した位置情報と、過去に受信した位置情報と、に基づいて、移動局装置が移動する方向を推定することにより、経路を推定してもよい。
【００９２】
これによれば、基地局装置１１は、経路が推定された移動局装置の将来の位置における通信状況をより高い精度にて表した通信状況分布情報を出力することができる。
【００９３】
また、上記実施形態の他の変形例において、通信状況情報は、移動局装置２１〜２５，…が移動する速度を表す移動速度情報を含んでいてもよい。この場合、各移動局装置２１〜２５，…は、移動局装置２１〜２５，…の加速度を検出する加速度センサと、加速度センサにより検出された加速度を積分し、その積分した値を速度として出力する積分演算部と、を備えることが好適である。なお、各移動局装置２１〜２５，…は、連続して取得された２つの位置情報が表す位置の差に基づいて移動局装置の速度を算出するように構成されていてもよい。
【００９４】
更に、この変形例において、基地局装置１１は、基地局装置１１のユーザによって指定された速度の範囲内の速度にて移動している移動局装置２１〜２５，…によって送信された通信状況情報のみに基づく通信状況分布情報を出力するように構成されていてもよい。なお、基地局装置１１は、所定の速度の範囲（例えば、高速、低速、及び、停止）毎に、その範囲内の速度にて移動している移動局装置２１〜２５，…によって送信された通信状況情報に基づく通信状況分布情報を出力するように構成されていてもよい。
【００９５】
なお、上記実施形態において通信システム１の各機能は、ＣＰＵがプログラム（ソフトウェア）を実行することにより実現されていたが、回路等のハードウェアにより実現されていてもよい。
【００９６】
また、図７に示したように、上記実施形態の他の変形例に係る基地局装置１００は、複数の移動局装置と無線通信可能に接続される。
【００９７】
基地局装置１００の機能は、位置情報取得部（位置情報取得手段）１０１と、移動局装置選択部（移動局装置選択手段）１０２と、通信状況情報受信部（通信状況情報受信手段）１０３と、通信状況分布情報出力部（通信状況分布情報出力手段）１０４と、を含む。
【００９８】
位置情報取得部１０１は、移動局装置の位置を表す位置情報を取得する。
移動局装置選択部１０２は、位置情報取得部１０１により取得された位置情報に基づいて複数の移動局装置の一部の移動局装置を選択する。
【００９９】
通信状況情報受信部１０３は、移動局装置選択部１０２により選択された移動局装置から、当該移動局装置と基地局装置１００との間の通信状況を表す通信状況情報を受信する。
【０１００】
通信状況分布情報出力部１０４は、通信状況情報受信部１０３により受信された通信状況情報と、位置情報取得部１０１により取得された位置情報であって移動局装置選択部１０２により選択された移動局装置の位置を表す位置情報と、を対応付けた通信状況分布情報を出力する。
この変形例によっても、上記実施形態と同様の作用及び効果を奏することができる。
【０１０１】
また、上記実施形態の他の変形例として、上述した実施形態及び変形例の任意の組み合わせが採用されてもよい。
【産業上の利用可能性】
【０１０２】
本発明は、複数の携帯電話機と無線通信可能に接続された基地局装置等に適用可能である。
【符号の説明】
【０１０３】
１      通信システム
１１    基地局装置
２１〜２５，…  移動局装置
３１    位置情報送信部
３２    通信状況情報送信部
４１    位置情報取得部
４２    移動局装置選択部
４３    通信状況送信指示送信部
４４    通信状況情報受信部
４５    通信状況分布情報出力部
１００  基地局装置
１０１  位置情報取得部
１０２  移動局装置選択部
１０３  通信状況情報受信部
１０４  通信状況分布情報出力部
【図１】
2010245583.tif 000003
【図２】
2010245583.tif 000004
【図３】
2010245583.tif 000005
【図４】
2010245583.tif 000006
【図５】
2010245583.tif 000007
【図６】
2010245583.tif 000008
【図７】
2010245583.tif 000009